(57)【要約】【課題】  センター役物の正面視におけるデザインの自由度を大きく確保すると共に、精度良い位置精度をもって遊技盤に容易に組み付けることを可能としつつ、遊技盤に確実且つ効率的に固定することが出来る、新規な構造のパチンコ機を提供すること。【解決手段】  センター役物４２を前部材４４と後部材４６による分割構造として、遊技盤１６の装着用孔５３の前後側からそれぞれ該前部材４４及び該後部材４６を組み付ける一方、該前後部材４４，４６を直接に位置決め固定する嵌合部１０８，１１０を形成すると共に、該前後部材４４，４６を該遊技盤１６に対して直接に固定する前固定手段５０及び後固定手段６８を設け、更に、該後部材４６には、水平方向及び／又は鉛直方向に直線的に延びる位置決め基準部６４，６６を形成した。【選択図】  図４
2006110264.tif 000002
【特許請求の範囲】
【請求項１】
正面視において左右非対称にデザインされた装飾枠が形成されていると共に、電力作動式の演出手段が組み付けられて重心が左右一方の側に偏倚せしめられたセンター役物を、遊技盤の略中央に設けられた装着用孔に配して固定的に組み付けたパチンコ機において、
前記センター役物を前後に分割構造として、中央に開口窓を有する枠体形状とされて前記装飾枠を形成する左右非対称形状の装飾部材としての前部材と、前記演出手段が組み付けられて重心が左右一方の側に偏倚せしめられた機能部材としての後部材とによって、該センター役物を構成すると共に、該前部材と該後部材を何れも前記装着用孔よりも大きな外周形状として、該装着用孔に対して前記遊技盤の前側から該前部材を組み付けると共に後側から該後部材を組み付ける一方、該装着用孔内での該前部材と該後部材の重ね合わせ部位において該前部材と該後部材を直接に位置決め固定する嵌合部を形成すると共に、該前部材を該遊技盤に対して直接に固定する前固定手段と、該後部材を該遊技盤に対して直接に固定する後固定手段を設け、更に、該後部材には、該前部材の該開口窓を通じて前面側から覗くことの出来る位置において水平方向及び／又は鉛直方向に直線的に延びる位置決め基準部を形成したことを特徴とするパチンコ機。
【請求項２】
前記前部材において、遊技領域側に開口する遊技球入球口と、前記遊技盤の裏面側に開口する遊技球連絡排出口が開口形成されており、これら遊技球入球口と遊技球連絡排出口が該前部材の内部を貫通する前部案内通路によって連通せしめられている一方、前記後部材において、該遊技盤の表面側に開口する遊技球連絡入球口と、遊技領域側に開口する遊技球排出口が開口形成されており、これら遊技球連絡入球口と遊技球排出口が該後部材の内部を貫通する後部案内通路によって連通せしめられていると共に、該前部材と該後部材が互いに固定された状態において、該前部材の該遊技球連絡排出口と該後部材の該遊技球連絡入球口が接続されることによって、該前部材の該遊技球入球口と該後部材の該遊技球排出口を連通せしめる遊技球案内通路が形成されている請求項１に記載のパチンコ機。
【請求項３】
前記前部材及び前記後部材のそれぞれに電気部品が配設されており、該前部材に配設された該電気部品に電力を供給する前部材用電力供給経路と、該後部材に配設された該電気部品に電力を供給する後部材用電力供給経路が、互いに独立して設けられている請求項１又は２に記載のパチンコ機。
【請求項４】
前記後部材に遊技球を転動せしめるステージが形成されていると共に、駆動力が及ぼされて駆動せしめられる駆動部材と、該駆動部材に駆動力を及ぼす駆動モータが組み付けられており、これら駆動部材と駆動モータを含んで前記演出手段が構成されている請求項１乃至３の何れかに記載のパチンコ機。
【発明の詳細な説明】
【技術分野】
【０００１】
本発明は、遊技領域の略中央にセンター役物を備えたパチンコ機に関するものである。
【背景技術】
【０００２】
従来から、遊技領域の中央部分にセンター役物を備えたパチンコ機が知られている。かかるパチンコ機に備えられるセンター役物は、遊技者の興味を引き、遊技に際してより大きな楽しさを提供するように、様々な考案が為されている。
【０００３】
そのような考案の代表的な一つとして、センター役物のデザイン性を高める事が行なわれており、例えば奇抜なデザインが施されたり、自由なデザインが施されて、パチンコ機を特徴付けると共に、見る者に興味を与えるようにされている。
【０００４】
また、別の考案として、液晶表示装置や駆動型転動装置などの電力作動式の演出手段を採用して、動的な視覚刺激や遊技球の転動の変化、或いは絵合わせ等の遊技球とは別次元での遊技の提供によって遊技者に興味を与えるようにされている。
【０００５】
そして、近年では、デザイン性の追求によって、センター役物のデザインとして、例えば特許文献１に示すような左右非対称のデザインが採用されるようになっている。また、演出の高度化によって、電力作動式の演出手段は大型化、重量化の傾向にある。
【０００６】
このような傾向から、センター役物は大型化、重量化してきており、従来構造のようにセンター役物を一体として、遊技盤に形成された装着用孔に前側から差し入れて組み付けることが困難となってきた。
【０００７】
そこで、このような問題に対処するために、センター役物をデザイン性を高める装飾用の前部材と、電力作動式の演出手段を備える後部材に分割すると共に、これら前後の部材を遊技盤を挟むようにして取り付けることによってセンター役物を構成することも考えられる。
【０００８】
ところが、このような前後の分割部材からなる特定構造とされたセンター役物においては、前部材は左右非対称の形状を有していることから、目的とする水平面に合わせて遊技盤に組み付けることが困難である。そして、前部材の水平を得ることが困難であるが故に、例えば前部材に形成された所謂ワープ通路等において、ワープ通路が傾いて目的とする遊技球の案内作用が発揮出来なくなるおそれもある。更に、組み付け時において視認し難い水平出しの作業そのものが、作業者にとって負担となる。
【０００９】
また、後部材についても、電力作動式の演出手段の大型化や重量化のみならず、配設スペース等の関係上、大きな重量が左右の一方に偏心することが避け難い。それにより、上記のワープ通路等において目的とする遊技球の案内作用を発揮出来なくなるおそれや、或いはステージを備えたセンター役物においては、ステージが傾いて所期の転動作用を発揮出来なくなるおそれがある。
【００１０】
さらに、遊技球が衝突したり、遊技球を転動せしめることなどによる衝撃が及ぼされることから、センター役物は遊技盤に強固に固定されている必要があるが、一般に、センター役物が取り付けられる遊技盤は木製であり、このような遊技盤に重量物であるセンター役物を強固に固定することの信頼性を確保し難くなってきていた。なお、補強金具を設けたりすることも考えられるが、部品点数と組み付け工数の増加、配設スペースの問題などから、現実的ではない。
【００１１】
【特許文献１】特開２００４−２２２８７２号公報
【発明の開示】
【発明が解決しようとする課題】
【００１２】
ここにおいて、本発明は上述の如き事情を背景として為されたものであって、その解決課題とするところは、（１）センター役物の正面視におけるデザインの自由度を大きく確保できること、（２）センター役物を精度良い位置精度をもって遊技盤に容易に組み付けることが出来ること、（３）電力作動式の演出手段が重量物であっても、センター役物を遊技盤に確実且つ効率的に固定することが出来ること、の何れも併せて達成し得る、新規な構造のパチンコ機を提供することにある。
【課題を解決するための手段】
【００１３】
以下、前述の如き課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面の記載、或いはそれらの記載から当業者が把握することの出来る発明思想に基づいて認識されるものであることが理解されるべきである。
【００１４】
（本発明の態様１）
すなわち、本発明の態様１は、正面視において左右非対称にデザインされた装飾枠が形成されていると共に、電力作動式の演出手段が組み付けられて重心が左右一方の側に偏倚せしめられたセンター役物を、遊技盤の略中央に設けられた装着用孔に配して固定的に組み付けたパチンコ機において、前記センター役物を前後に分割構造として、中央に開口窓を有する枠体形状とされて前記装飾枠を形成する左右非対称形状の装飾部材としての前部材と、前記演出手段が組み付けられて重心が左右一方の側に偏倚せしめられた機能部材としての後部材とによって、該センター役物を構成すると共に、該前部材と該後部材を何れも前記装着用孔よりも大きな外周形状として、該装着用孔に対して前記遊技盤の前側から該前部材を組み付けると共に後側から該後部材を組み付ける一方、該装着用孔内での該前部材と該後部材の重ね合わせ部位において該前部材と該後部材を直接に位置決め固定する嵌合部を形成すると共に、該前部材を該遊技盤に対して直接に固定する前固定手段と、該後部材を該遊技盤に対して直接に固定する後固定手段を設け、更に、該後部材には、該前部材の該開口窓を通じて前面側から覗くことの出来る位置において水平方向及び／又は鉛直方向に直線的に延びる位置決め基準部を形成したことを、特徴とする。
【００１５】
本態様に従う構造とされたパチンコ機においては、センター役物を前部材と後部材からなる分割構造とすると共に、遊技盤を挟んで前後方向それぞれから前部材と後部材を組み付けるようにしたことによって、センター役物の大きさが遊技盤に設けられた装着用孔の大きさによって制限されることが無い。これにより、前部材は大きさの制限を受けることなく、より自由なデザインを採用することが可能となると共に、後部材も大きさの制限を受けることなく、より自由度の高い部材レイアウトを行なう事が可能となる。
【００１６】
さらに、本態様においては、前部材と後部材を直接に位置決め固定する嵌合部を設けたことによって、前部材と後部材の互いの位置合わせを正確に行なう事が出来る。即ち、センター役物を前後の部材に分割することによって、装飾用の前部材をより複雑な形状をもって形成することを可能としつつも、かかる前部材を後部材に直接に位置決めする嵌合部を設けたことによって、複雑な形状を有するにも関わらず、互いの位置合わせを容易に行なうことを可能としているのである。
【００１７】
そして、前部材と後部材を直接に位置合わせすることによって、後部材に形成した位置決め基準部を前部材の位置決めの基準として用いることも可能とされている。これにより、複雑な形状を有する前部材の水平方向の位置合わせも、後部材に形成された位置決め基準部を用いて容易に行なうことが可能とされており、前部材の形状を設計するに際して、組み付け時の位置決め作業性を考慮する必要がなくなり、デザイン自由度の更なる向上が達成される。加えて、かかる位置決め基準部が、前部材の開口部を通じて前面側から覗くことの出来る位置に設けられていることから、前部材を遊技盤に取り付ける際に位置決め基準部を容易に確認しながら組み付ける事が出来る。
【００１８】
更にまた、前部材と後部材をそれぞれ遊技盤に対して直接に固定しつつ、これら前後部材を互いに直接に固定することによって、後部材の直接的な固定強度のみならず、前部材を介して、前部材の固定強度も利用して後部材を固定する事が出来る。これにより、電力作動式の演出手段の高度化に伴い大型化、重量化の傾向にある後部材を、前部材の固定力も利用して遊技盤に固定することが可能とされている。その結果、特別な補強部材を何等設けること無しに、遊技盤に対して強固に、大きな耐久性と信頼性をもって固定することが可能となる。そして、後部材の設計に際して、その重量や、重量の偏倚を考慮する必要も無くなり、更なる設計自由度の向上も図られ得る。なお、本態様において、電力作動式の演出手段とは、例えばモータによって駆動される駆動部材を含んだステージ等の他、液晶表示装置等も含むものである。
【００１９】
ここにおいて、位置決め基準部の具体的な態様としては様々な態様が採用可能である。勿論、後部材の組み付け状態において水平及び鉛直方向に延びる部位を位置決め基準部として形成しても良いし、或いは、位置決め基準部としての部位を特別に形成することなく、後部材に設けられる部位を位置決め基準部として用いることも可能である。例えば、後部材に貫設されて、液晶表示装置の表示面を視認可能とする窓部は、一般に水平方向及び鉛直方向に延びて形成されていることから、かかる窓部の縁部を位置決め基準部として用いても良いし、遊技球を転動せしめるステージについても、一般に水平に組み付けられる部位を有することから、かかるステージを用いる等しても良い。
【００２０】
また、前後部材を位置決め固定する嵌合部の具体的な態様についても種々の態様が採用可能である。例えば、一方の部材に形成したビス穴に、他方の部材をビス留めすることによって位置決めしたり、或いは一方に形成した挿通孔に、他方に形成したピン状の位置決め突部を挿通する等しても良いし、これら点による位置合わせのみならず、一方に設けた位置決め片を他方に設けたスリットに差し込むことによって、線による位置合わせを行なうこと等も可能である。なお、嵌合部は複数形成することも勿論可能であり、嵌合部を複数形成する場合には、前後部材を互いに正確に位置合わせするために、前部材の開口窓を挟んで対角上に設けることが望ましい。
【００２１】
（本発明の態様２）
本発明の態様２は、前記態様１に係るパチンコ機であって、前記前部材において、遊技領域側に開口する遊技球入球口と、前記遊技盤の裏面側に開口する遊技球連絡排出口が開口形成されており、これら遊技球入球口と遊技球連絡排出口が該前部材の内部を貫通する前部案内通路によって連通せしめられている一方、前記後部材において、該遊技盤の表面側に開口する遊技球連絡入球口と、遊技領域側に開口する遊技球排出口が開口形成されており、これら遊技球連絡入球口と遊技球排出口が該後部材の内部を貫通する後部案内通路によって連通せしめられていると共に、該前部材と該後部材が互いに固定された状態において、該前部材の該遊技球連絡排出口と該後部材の該遊技球連絡入球口が接続されることによって、該前部材の該遊技球入球口と該後部材の該遊技球排出口を連通せしめる遊技球案内通路が形成されていることを、特徴とする。
【００２２】
本態様に従う構造とされたパチンコ機においては、前部材と後部材の互いの位置決めを精度良く行なう事が出来ることによって、前部材に形成された前部案内通路と、後部材に形成された後部案内通路を容易且つ確実に接続する事が出来る。これにより、遊技領域からステージに遊技球を案内する所謂ワープ通路を、安定した精度をもって容易に形成する事が出来る。
【００２３】
さらに、位置決め基準部によって前後部材の水平方向の位置合わせを精度良く行なうことが出来ることから、遊技球案内通路を傾いた状態で組み付けるおそれも軽減されており、遊技球に対して、遊技球案内通路による所期の案内作用を安定して発揮せしめる事が出来る。
【００２４】
なお、本態様において、前後部材を互いに位置合わせする嵌合部は、前部案内通路と後部案内通路を確実に接続するために、前部材の遊技球連絡排出口と後部材の遊技球連絡入球口それぞれの付近に形成されることが望ましい。
【００２５】
（本発明の態様３）
本発明の態様３は、前記態様１又は２に係るパチンコ機であって、前記前部材及び前記後部材のそれぞれに電気部品が配設されており、該前部材に配設された該電気部品に電力を供給する前部材用電力供給経路と、該後部材に配設された該電気部品に電力を供給する後部材用電力供給経路が、互いに独立して設けられていることを、特徴とする。
【００２６】
本態様に従う構造とされたパチンコ機においては、前部材と後部材をそれぞれ単独で遊技盤から取り外す事が出来る。これにより、例えば故障などによって何れか一方の部材のみを交換する必要が生じた場合には、必要な部材のみを遊技盤から取り外す事が出来て、交換作業が容易となる。
【００２７】
なお、本態様における電気部品としては、例えば前部材に配設される電気部品としてはＬＥＤ等を備えた電飾基板や、後部材に配設される電気部品としては駆動モータなどが例示される。
【００２８】
（本発明の態様４）
本発明の態様４は、前記態様１乃至３の何れかに係るパチンコ機であって、前記後部材に遊技球を転動せしめるステージが形成されていると共に、駆動力が及ぼされて駆動せしめられる駆動部材と、該駆動部材に駆動力を及ぼす駆動モータが組み付けられており、これら駆動部材と駆動モータを含んで前記演出手段が構成されていることを、特徴とする。
【００２９】
本態様に従う構造とされたパチンコ機においては、駆動モータが組み付けられることによって重量物とされたセンター役物を遊技盤に安定して組み付けることが出来ると共に、位置決め基準部によってステージを所期の角度に容易に取り付けることが可能とされており、ステージ上の遊技球に対して所期の転動作用を安定して発揮せしめる事が出来る。また、駆動モータの駆動力を伝達する歯車などの駆動力伝達部材の傾きも軽減する事が出来ることから、駆動モータからの駆動力を安定して伝達することが出来て、駆動部材を安定して駆動せしめる事が出来る。
【００３０】
なお、本態様における駆動部材は、例えば回転板などのステージ上の遊技球に転動作用を及ぼす部材に限るものではなく、例えば駆動モータによって駆動せしめられる人形などの単なる装飾部材等も含むものである。
【発明の効果】
【００３１】
上述の説明から明らかなように、本発明に従う構造とされたパチンコ機においては、センター役物を前後部材に分割したことによって、それぞれの部材をより自由度の高い形状や部材レイアウトをもって、大きく形成することが可能となる。更に、嵌合部によって前部材を後部材に対して容易に位置決めして取り付けられることから、形状の複雑化、大型化にも関わらず、容易な位置決めを行なうことが可能とされており、組み付け作業の作業性も向上せしめられている。加えて、前部材の位置決めに、後部材に形成された位置決め基準部を利用することが出来ることから、前部材の遊技盤に対する位置決めも容易に行なうことが可能とされているのである。そして、センター役物の遊技盤への組み付け誤差を小さく抑えられる事によって、液晶表示装置や装飾部材等を遊技盤に対する所期の位置に正しく配設すると共に、遊技球に対する所期の転動作用や案内作用を安定して発揮する事が出来るのである。
【００３２】
また、前後部材をそれぞれ遊技盤に固定しつつ、前部材と後部材を直接に固定することによって、後部材の遊技盤への固定力として、前部材の固定力も利用する事が出来る。これにより、大型化、重量化の傾向にあって、重量が偏倚した後部材を、遊技盤に強固に固定する事が出来ることから、後部材の設計に際しても、その重量や部材レイアウトなどを考慮する必要が無くなり、後部材の設計自由度をより向上することも可能となるのである。
【発明を実施するための最良の形態】
【００３３】
以下、本発明を更に具体的に明らかにするために、本発明の実施形態について、図面を参照しつつ、詳細に説明する。なお、以下の説明において、上下左右方向とは、原則として、遊技者から見た上下左右方向をいうものとする。
【００３４】
図１には、本発明の一実施形態としてのパチンコ機１０が示されている。このパチンコ機１０は、縦長な方形状に枠組みされた外枠１２を備えており、かかる外枠１２には、その一側において開閉自在に軸支された状態で中枠１４が組み付けられている。また、中枠１４の表側には、中枠１４に対して取り付けられた遊技盤１６を透視保護するためのガラス板を備えたガラス枠１８と、上皿２０を備えた皿板２２が、それぞれ、中枠１４の一側に開閉自在に軸支された状態で組み付けられている。更にまた、上皿２０の下方には、下皿２４が設けられており、かかる下皿２４の右方には、発射ハンドル２６が設けられている。そして、遊技者が発射ハンドル２６に対して回動可能に装着された発射レバー２８を回動操作することにより、上皿２０に貯留された遊技球が球送り機構（図示せず）を介して、発射装置（図示せず）に送られた後、遊技盤１６に形成された遊技領域３０に向けて発射されるようになっている。
【００３５】
遊技盤１６は、表面に合成樹脂製のシートが被着された遊技板を備えており、かかる遊技板の表面側に固定されたガイドレール３２によって囲まれた略円形の遊技領域３０には、始動入賞装置３６，特別可変入賞装置３８や、電力作動式の演出手段としての液晶表示装置３４等が設けられている。なお、図示はされていないが、遊技盤１６の遊技領域３０には、周知の如く多数の遊技釘や風車等が設けられている。
【００３６】
そして、遊技球が遊技領域３０に向けて発射された後、遊技領域３０を流下せしめられて始動入賞装置３６に入賞すると、液晶表示装置３４の表示画面３９において、複数の特別図柄（図示せず）の変動表示が開始され、それら複数の特別図柄の変動表示が所定時間行われる。その後、複数の特別図柄が特定の停止表示態様で停止表示されると、それまで特別可変入賞装置３８の入口を塞いでいた扉４０が予め定められた作動条件に従って、開閉作動せしめられるようになっている。これにより、特別可変入賞装置３８の入口が開放されて、特別可変入賞装置３８への遊技球の入賞が可能となり、その結果、遊技者は、通常の遊技では得ることが出来ない利益（賞球）を得ることが出来る特典遊技を行うことが可能となる。
【００３７】
そして、液晶表示装置３４の表示画面３９の周囲には、液晶表示装置３４の周囲を装飾するためのセンター役物としてのセンター飾り４２が配設されている。センター飾り４２は、図２乃至図４に示すように、装飾枠を形成する前部材としての前面枠部材４４と、機能部材である後部材としての裏面枠部材４６とに分割されており、前面枠部材４４と裏面枠部材４６が、遊技盤１６を挟んで互いに固定されることによって構成されている。
【００３８】
先ず前面枠部材４４の正面図を図５に、背面図を図６に示す。前面枠部材４４は、中央部分に開口窓４８が貫設された、正面視において左右非対称の形状を有する枠体形状とされており、装飾枠を形成する装飾部材とされている。また、前面枠部材４４の厚さ方向略中間部分の周上における適数箇所には、外方に突出する前固定手段としての取付板部５０が形成されていると共に、取付板部５０から後方が、遊技盤１６に差し入れられる嵌入部５１とされている。嵌入部５１は、遊技盤１６に貫設された装着用孔５３（図１１参照）と略等しい形状とされており、その厚さ寸法が、遊技盤１６の厚さ寸法と略等しくされている一方、取付板部５０の外周寸法は装着用孔５３よりも大きくされている。そして、前面枠部材４４は、遊技盤１６に貫設された装着用孔５３に嵌入部５１が表面から嵌め込むように差し入れられて取付板部５０によって係止されると共に、取付板部５０の適数箇所に貫設されたビス穴によって遊技盤１６の表面からビス留め等で遊技盤１６に対して直接に取り付けられるようになっている。
【００３９】
また、かかる取付板部５０の前方には、上方から側方に亘って前方に突出する庇部５２が形成されており、これによって、液晶表示装置３４の表示画面３９の前方を遊技球が通過しないようにされている。
【００４０】
さらに、庇部５２における左方のやや上部には、遊技領域３０側に開口する遊技球入球口としてのワープ入口５４が開口形成されていると共に、前面枠部材４４の裏面には、遊技球連絡排出口としての前部ワープ連絡口５６が開口形成されている。そして、これらワープ入口５４と前部ワープ連絡口５６が、前面枠部材４４の内部を貫通する前部案内通路としての前部ワープ通路５８によって連通せしめられている。
【００４１】
また、前面枠部材４４には、庇部５２の周上にＬＥＤ基板（図示せず）が配設されたり、開口窓４８に電気部品としての電飾部材６０，６１が設けられることによって、適数箇所に電飾が施されている。ここにおいて、電飾部材６０，６１への電力の供給は、電飾部材６０、６１それぞれの裏面に設けられたコネクタ６５，６７と、パチンコ機１０の裏面に設けられる電源基板（図示せず）が電気的に接続されることによって行なわれており、これらコネクタ６５，６７を含んで、前部材用電力供給経路が構成されている。なお、かかる電源基板からコネクタ６５、６７に至る前部材用電力供給経路は、後述する裏面枠部材４６に対して電力を供給する後部材用電力供給経路とは別個に設けられている。また、電飾部材６０，６１の具体的な形状や個数、取付位置等は何等限定されることなく、様々な形状や個数をもって、適当な箇所に設けることが可能である。
【００４２】
一方、後部材としての裏面枠部材４６の前面図を図７に、背面図を図８に示す。裏面枠部材４６は、前面枠部材４４よりもやや大きな寸法を有する枠体とされており、その略中央部分には、液晶表示装置３４の表示画面３９と略同じ大きさの矩形状を有する窓部６２が貫設されている。また、窓部６２の下側には、遊技球を転動せしめるステージ６３が設けられている。そして、窓部６２の周上における適数箇所には、遊技盤１６に形成された装着用孔５３よりも大きな外周寸法をもって外方に突出する後固定手段としての取付板部６８が形成されており、取付板部６８の適数箇所に貫設されたビス穴によって、裏面枠部材４６が遊技盤１６の裏面からビス留め等で遊技盤１６に対して直接に取り付けられるようになっている。
【００４３】
なお、裏面枠部材４６に形成された窓部６２は矩形状をもって形成されており、その上下側両縁部６４，６４は、それぞれ裏面枠部材４６の組み付け状態において水平方向に延びるように形成されていると共に、左右側両縁部６６，６６は、裏面枠部材４６の組み付け状態においてそれぞれ鉛直方向に延びるように形成されている。そして、これら上下側両縁部６４，６４及び左右側両縁部６６，６６によって、裏面枠部材４６の組み付け状態における水平方向及び鉛直方向を示す位置決め基準部が形成されている。これにより、作業者は裏面枠部材４６を遊技盤１６に組み付ける際には、窓部６２の上下側両縁部６４，６４や、左右側両縁部６６，６６を水平方向乃至は鉛直方向を示す基準として用いることによって、裏面枠部材４６を遊技盤１６に正しく位置決めして組み付ける事が出来る。
【００４４】
また、裏面枠部材４６の前面枠部材４４との組み付け状態において前面枠部材４４の前部ワープ連絡口５６に重なり合う部位には、遊技球連絡入球口としての後部ワープ連絡口７０が開口形成されている一方、ステージ６３の左側やや上方には、遊技領域３０側に開口する遊技球排出口としてのワープ出口７２が開口形成されている。そして、これら後部ワープ連絡口７０とワープ出口７２が、後部案内通路としての後部ワープ通路７４によって連通せしめられている。なお、本実施形態において、ステージ６３は、遊技球を転動せしめるものであり、遊技領域３０に含まれるものである。
【００４５】
裏面枠部材４６に形成されたステージ６３の具体的な構造としては様々な構造が採用可能であるが、特に本実施形態においては、図３等に示すように、その奥行方向中間部分において、裏面枠部材４６の前方の手前側フロア７６と、奥側の奥側フロア７８に分割されており、奥側フロア７８の方が、手前側フロア７６よりも高く形成されている。そして、ワープ出口７２から排出された遊技球は、先ず、奥側フロア７８上を転動せしめられる。奥側フロア７８は中央部分が山形に形成されており、その頂上部には奥側に傾斜せしめられた奥方傾斜面８０が形成されている一方、その山形の両端部には手前側に傾斜せしめられた手前方傾斜面８２が形成されている。そして、奥側フロア７８上を転動せしめられる遊技球は、奥方傾斜面８０乃至は手前方傾斜面８２によって、奥側フロア７８の奥側乃至は手前側に案内されるようになっている。
【００４６】
ここにおいて、奥方傾斜面８０によって奥方へ誘導された遊技球は、窓部６２の下側縁部６４に開口せしめられた入球口８４に入球せしめられるようになっている。入球口８４は、裏面枠部材４６の下方に設けられた球通路８６によって、裏面枠部材４６の前方に形成された開口部８８と連通せしめられており、開口部８８は、前面枠部材４４の組み付け状態において開口部８８と重なり合う部位に貫設された排球口９０を通じて遊技領域３０と連通せしめられている。これにより、奥方傾斜面８０によって入球口８４に入球せしめられた遊技球は、球通路８６を通じて排球口９０から遊技領域３０側に放出されるようになっている。そして、本実施形態においては、排球口９０の下方に始動入賞装置３６が位置せしめられていることから、排球口９０から放出された遊技球は、始動入賞装置３６に入賞し易くされている。
【００４７】
また、手前方傾斜面８２によって前方へ案内された遊技球は、奥側フロア７８の前方に形成された手前側フロア７６に案内されるようになっている。手前側フロア７６は、両端から中央に向かって下がる傾斜が与えられた凹形状とされており、その中央部分には、駆動部材としての転動板９２が設けられている。転動板９２は、軸方向下方から上方に行くに従って次第に縮径する笠形状とされており、裏面枠部材４６におけるステージ６３の下方に設けられた駆動モータ９４から図示しない連結歯車等で駆動力が及ぼされることによって、鉛直方向に延びる回転中心軸周りに回転可能とされている。なお、本実施形態においては、駆動モータ９４としては従来公知のＤＣモータが採用されており、裏面枠部材４６の正面視において中央からやや右寄りの位置に設けられている。
【００４８】
なお、転動板９２の奥側には、手前側入球口９６が開口せしめられており、かかる手前側入球口９６が、球通路８６に連通せしめられている。これにより、手前側入球口９６に入球せしめられた遊技球は、排球口９０から遊技領域３０に排出せしめられて、始動入賞装置３６に入賞し易くされている。
【００４９】
一方、転動板９２の手前側には、前面枠部材４４が組み付けられることによって、上方に突出して手前側フロア７６の左右方向に延びる縦壁９８が設けられるようになっており、縦壁９８における転動板９２の左右側には、一対の切欠き１００、１００が形成されている。そして、手前側フロア７６には、これら切欠き１００、１００に向けて下がる傾斜面が形成されており、手前側フロア７６上を転動せしめられる遊技球のうち、手前側入球口９６に入球せしめられなかった遊技球は、切欠き１００、１００から遊技領域３０に排出されるようになっている。ここにおいて、切欠き１００、１００は排球口９０の左右位置に形成されていることから、切欠き１００、１００から排出される遊技球は、始動入賞装置３６に入賞し難くされている。そして、かかる遊技球の転動が、転動板９２の回転によって変化せしめられるようになっており、これら転動板９２及び駆動モータ９４を含んで、電力作動式の演出手段が構成されている。
【００５０】
また、本実施形態における裏面枠部材４６の窓部６２の右側には、第一乃至第三装飾部材１０２、１０４，１０６が設けられている。これら装飾部材１０２、１０４、１０６は、合成樹脂材などによって成形されて裏面枠部材４６に対して固定的に設けられた部材であり、特に第三装飾部材１０６については、裏面に発光部材が設けられて発光可能とされている。なお、これら装飾部材１０２，１０４，１０６を駆動部材として駆動モータからの駆動力を及ぼしめて駆動可能にする等しても良い。
【００５１】
そして、裏面枠部材４６の背面には、図９及び図１０に示すように、電力作動式の演出手段としての液晶表示装置３４が取り付けられており、液晶表示装置３４の表示画面３９が、裏面枠部材４６の窓部６２を通じて、裏面枠部材４６の前面から視認可能とされている。なお、液晶表示装置３４の背面視の寸法は表示画面３９よりも大きく、幅寸法として裏面枠部材４６の幅寸法と略等しい程度の寸法を有しており、裏面枠部材４６の背面から見てやや右側に偏倚した位置に取り付けられている。このことから明らかなように、液晶表示装置３４の如き裏面枠部材４６に取り付けられる演出手段の大きさは遊技盤１６の装着用孔の大きさに規制されること無く、大きな形状をもって構成することが可能であると共に、液晶表示装置３４の組み付け位置が偏倚せしめられていることによって、裏面枠部材４６の重心は背面から見てやや右側に偏倚せしめられている。
【００５２】
また、裏面枠部材４６に設けられた液晶表示装置３４や駆動モータ９４等の電気部品は、それぞれが接続される電力供給線１１１，１１２の他方の端部がパチンコ機１０の裏面に取り付けられる電源基板（図示せず）に電気的に接続されることによって、電力が供給されるようになっており、これら電力供給線１１１，１１２を含んで、後部材用電力供給経路が構成されている。なお、かかる電源基板から液晶表示装置３４や駆動モータ９４等に至る後部材用電力供給経路は、前面枠部材４４に対して電力を供給する前部材用電力供給経路とは別個に設けられている。
【００５３】
このような構造とされた裏面枠部材４６は、例えば図１１に示すように、遊技盤１６の裏面に対して、取付板部６８の周上における適数箇所に設けられた取り付け穴を用いてビス留め等によって取り付けられる。そして、本実施形態における裏面枠部材４６は、その大きさを遊技盤１６に形成される装着用孔に制限されることなく設定する事が出来ることから、より高い設計自由度をもって形成することが可能とされており、例えば、裏面枠部材４６の下方に設けられる特別可変入賞装置３８の裏面側形状や、周囲に配設される各部材のレイアウトに合わせてその形状を設定する事が出来る。
【００５４】
そして、かかる裏面枠部材４６に対して、遊技盤１６を挟んで前方から前面枠部材４４が取り付けられることによって、センター役物としてのセンター飾り４２が構成される。
【００５５】
ここにおいて、図６に示すように、前面枠部材４４の裏面における開口窓４８の上下には、裏面側に突出する一対の位置決め突部１０８が形成されている一方、図７に示すように、裏面枠部材４６の表面における位置決め突部１０８と対応する箇所には、一対の位置決めボス部１１０が表面に突出するように形成されており、これら位置決め突部１０８及び位置決めボス部１１０によって、前面枠部材４４と裏面枠部材４６とを互いに直接に位置決め固定する嵌合部が構成されている。
【００５６】
そして、図１２及び図１３に示すように、遊技盤１６を挟んだ状態で、遊技盤１６の前面から前面枠部材４４が取り付けられる一方、裏面から裏面枠部材４６が取り付けられると共に、前面枠部材４４の位置決め突部１０８が裏面枠部材４６の位置決めボス部１１０に挿し込まれることによって、前面枠部材４４と裏面枠部材４６が互いに位置合わせされて固定される。
【００５７】
これにより、図１３からも明らかなように、前面枠部材４４の裏面側に開口された前部ワープ連絡口５６と、裏面枠部材４６の表面側に開口された後部ワープ連絡口７０が接続される。而して、遊技領域３０側に開口するワープ入口５４からステージ６３に開口するワープ出口７２に至る遊技球案内通路としてのワープ通路１１４がセンター飾り４２の内部に形成されることとなる。なお、特に本実施形態においては、前面枠部材４４の前部ワープ連絡口５６と裏面枠部材４６の後部ワープ連絡口７０が互いに嵌め合わされるようになっていることから、これら前部ワープ連絡口５６と後部ワープ連絡口７０によっても嵌合部が構成されており、前部ワープ連絡口５６と後部ワープ連絡口７０を位置合わせして、確実に接続することが可能とされている。
【００５８】
また、前面枠部材４４の開口窓４８は、裏面枠部材４６に形成された窓部６２の寸法よりも大きく形成されており、裏面枠部材４６の裏面に取り付けられて、遊技盤１６の裏側に配設されている液晶表示装置３４の表示画面３９が、開口窓４８を通して遊技盤１６の前面から視認可能とされている。
【００５９】
このような構造とされたセンター飾り４２においては、遊技盤１６の表面から固定する前面枠部材４４と、遊技盤１６の裏面から固定する裏面枠部材４６に分割して構成したことから、その外周寸法を遊技盤１６の装着用孔５３に規制されることが無くなり、遊技盤１６の表面側及び裏面側の部材のレイアウトの自由度をより向上する事が出来る。これにより、例えば本実施形態においては、前面枠部材４４において、遊技盤１６の表面側に位置する庇部５２を、遊技盤１６の装着用孔５３に嵌め入れられる嵌入部５１よりも大きく形成することが可能とされていると共に、裏面枠部材４６においても、大型の液晶表示装置３４を設けることが可能とされている。
【００６０】
さらに、前面枠部材４４と裏面枠部材４６にそれぞれ位置決め突部１０８及び位置決めボス部１１０が設けられていることによって、前面枠部材４４と裏面枠部材４６を直接に位置合わせすることが可能とされており、互いの位置決めを容易且つ確実に行なうことが可能とされている。これによって、前面枠部材４４に形成された前部ワープ連絡口５６と裏面枠部材４６に形成された後部ワープ連絡口７０を容易且つ確実に接続することが可能とされていると共に、裏面枠部材４６に組み付けられた液晶表示装置３４の表示画面３９に対して、前面枠部材４４を位置ズレすることなく組み付けることが可能とされている等、組み付け作業を容易にしながらも、組み付け精度を向上せしめているのである。
【００６１】
加えて、裏面枠部材４６における窓部６２の上下側両縁部６４，６４及び左右側両縁部６６，６６がそれぞれ水平方向及び鉛直方向を示す位置決め基準部とされていることから、左右非対称の形状を有し、重心も左右一方の側に偏倚せしめられた裏面枠部材４６を、上下側両縁部６４，６４を水平方向に位置合わせしたり、左右側両縁部６６，６６を鉛直方向に位置合わせすることによって、遊技盤１６に対して高い位置決め精度をもって固定する事が出来る。これにより、例えば液晶表示装置３４の表示画面３９を正しく位置決めしたり、ステージ６３の角度を正しく設定することによって、ステージ６３上の遊技球に対する所期の転動作用を安定して得る事が出来る。
【００６２】
そして、このように遊技盤１６に正しく取り付けられた裏面枠部材４６の位置決めボス部１１０に対して位置決め突部１０８を挿し込むことによって、前面枠部材４４を、裏面枠部材４６に対して高い位置決め精度をもって取り付けることが可能とされている。これにより、左右非対称の形状を有することによって位置決めが困難である前面枠部材４４についても、遊技盤１６に対して高精度に位置決めされた裏面枠部材４６の位置決め基準部を巧く利用することが出来て、遊技盤１６に対して容易に高度な位置決め精度をもって取り付ける事が出来るのである。
【００６３】
加えて、前面枠部材４４が、取付板部５０によって遊技盤１６に対して直接に固定されていることから、位置決め突部１０８と位置決めボス部１１０の嵌合を介して、前面枠部材４４の固定力を裏面枠部材４６の遊技盤１６に対する固定力としても利用することが可能とされており、重量物であり重心が偏倚した裏面枠部材４６を、より安定して遊技盤１６に強固に固定することが可能とされているのである。
【００６４】
また、特に本実施形態においては、前面枠部材４４に設けられた電気部品６０，６１等に電力を供給する前部材用電力供給経路と、裏面枠部材４６に設けられた電気部品３４、９４等に電力を供給する後部材用電力供給経路がそれぞれ別個に設けられていることから、例えば故障等によって前面枠部材４４乃至は裏面枠部材４６の何れか一方のみを交換する必要が生じた際には、交換が不要な他方の部材は遊技盤１６に固定したままの状態で、交換する部材のみを遊技盤１６から取り外す事が出来て、作業効率も向上せしめられるのである。
【００６５】
以上、本発明の実施形態について説明してきたが、これらはあくまでも例示であって、本発明は、かかる実施形態における具体的な記載によって、何等、限定的に解釈されるものではない。
【００６６】
例えば、前面枠部材４４及び裏面枠部材４６のそれぞれに形成された嵌合部としては、前述の位置決め突部１０８及び位置決めボス部１１０の如き形状に限らず、様々な態様が採用可能であり、位置決め突部を所定寸法に亘って延びる壁状に形成して、所定寸法に亘る線上に嵌合せしめる等してもよいし、前面枠部材４４及び裏面枠部材４６に互いに形成された凹凸形状の嵌め合いによって位置合わせすること等も可能である。
【００６７】
また、裏面枠部材４６に取り付けられる液晶表示装置３４は、必ずしも液晶による表示装置に限定されるものではなく、ＬＥＤやＣＲＴを用いた図柄表示装置や、或いはドラムユニット等による図柄表示装置等を用いる等しても良い。
【００６８】
さらに、本実施形態において前面枠部材４４に設けられた電飾部材６０，６１や、裏面枠部材４６に設けられたステージ６３や第一乃至第三装飾部材１０２乃至１０６、或いはワープ通路１１４等はあくまでも例示であって、具体的な形状等は各種の態様をもって構成することが勿論可能であるが、これらの部材は、必ずしも必要ではない。
【００６９】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００７０】
【図１】本発明の一実施形態としてのパチンコ機を示す正面図である。
【図２】図１に示したパチンコ機におけるセンター飾りを示す正面図である。
【図３】図２に示したセンター飾りの斜視図である。
【図４】図２に示したセンター飾りの分解斜視図である。
【図５】図２に示したセンター飾りの前面枠部材を示す正面図である。
【図６】図５に示した前面枠部材の背面図である。
【図７】図２に示したセンター飾りの裏面枠部材を示す正面図である。
【図８】図７に示した裏面枠部材の背面図である。
【図９】図７に示した裏面枠部材に液晶表示装置を取り付けた状態を示す斜視図である。
【図１０】図７に示した裏面枠部材に液晶表示装置を取り付けた状態を示す背面図である。
【図１１】図７に示した裏面枠部材を遊技盤に取り付けた状態を示す背面図である。
【図１２】図２に示したセンター飾りを遊技盤に取り付けた状態を示す側面図である。
【図１３】図２に示したセンター飾りのＸIII −ＸIII 断面図である。
【符号の説明】
【００７１】
１０  パチンコ機
１６  遊技盤
３４  液晶表示装置
４２  センター飾り
４４  前面枠部材
４６  裏面枠部材
６２  窓部
９４  駆動モータ
１０８  位置決め突部
１１０  位置決めボス部
【図１】
2006110264.tif 000003
【図２】
2006110264.tif 000004
【図３】
2006110264.tif 000005
【図４】
2006110264.tif 000006
【図５】
2006110264.tif 000007
【図６】
2006110264.tif 000008
【図７】
2006110264.tif 000009
【図８】
2006110264.tif 000010
【図９】
2006110264.tif 000011
【図１０】
2006110264.tif 000012
【図１１】
2006110264.tif 000013
【図１２】
2006110264.tif 000014
【図１３】
2006110264.tif 000015